(57)【要約】【課題】基板用端子と接続した際のロック力を向上させたケーブルコネクタを提供することを課題とする。【解決手段】ケーブルコネクタ１は、ケーブルＣが結線される結線部１１を有する端子１０と、基板用端子５０に向け端子１０を露呈して保持するハウジング３０とを有し、端子１０は、コネクタ挿抜方向と長手方向とを含む面を板面とし弾性腕片対の対向腕片同士間に進入する進入板部１４を有していて、進入板部１４は、基板用端子５０の接触片対５２に挟圧されて該接触片と接触する接点部２０と、基板用端子５０に設けられた二対のロック片のうちの第一ロック片対５３が係止する第一ロック係止部１８とを有し、ハウジング３０は、コネクタ抜出方向で基板用端子５０の第二ロック片対５６に係止する係止突部３２Ｂが形成された第二ロック係止部３２を有していて、第二ロック係止部３２は長手方向で第一ロック係止部に対して他端側に設けられている。【選択図】図５
2014099261.tif 000002
【特許請求の範囲】
【請求項１】
回路基板上に接面して取り付けられる金属帯状の基部の両側縁部から互いに近接するように起立、湾曲された対向腕片から形成される弾性腕片対を上記基部の長手方向の複数位置に有し、上記弾性腕片対として接触片対およびロック片対を備えている基板用端子に対して、回路基板の面に直角な方向をコネクタ挿抜方向として接続される端子を有しているケーブルコネクタにおいて、
ケーブルコネクタは、上記長手方向での一端側にケーブルが結線される結線部を有する端子と、基板用端子に向け該端子を露呈して保持する電気絶縁材のハウジングとを有し、
上記端子は、上記コネクタ挿抜方向と上記長手方向とを含む面を板面とし該板面に平行な方向で上記弾性腕片対の対向腕片同士間に進入する進入板部を有していて、該進入板部は、基板用端子の接触片対に挟圧されて該接触片と接触する接点部と、基板用端子に設けられた二対のロック片のうちの第一ロック片対が係止する第一ロック係止部とを有し、
ハウジングは、コネクタ抜出方向で基板用端子の第二ロック片対に係止する係止突部が形成された第二ロック係止部を有していて、該第二ロック係止部は上記長手方向で第一ロック係止部に対して他端側に設けられていることを特徴とするケーブルコネクタ。
【請求項２】
端子は、長手方向での一端側の部分に上記結線部が設けられ、他端側の部分に進入板部を含む折曲部が設けられており、該折曲部は、上記長手方向に対して直角な断面がＬ字状をなすように折曲稜部を介して接続されている縦板部と横板部を有し、該縦板部に進入板部が形成され、ハウジングには該折曲部を少なくとも長手方向での一部で収める収容部が形成されていて、折曲部の長手方向の先端側から折曲部の対応部分が上記収容部に収められることとする請求項１に記載のケーブルコネクタ。
【請求項３】
端子は、折曲部の長手方向他端側で、縦板部の一部が折曲稜部と反対方向に向け切り取られた係止段部が形成され、該係止段部は上記ハウジングの係止突部とコネクタ抜出方向で係止するようになっていることとする請求項１又は請求項２に記載のケーブルコネクタ。
【請求項４】
端子は、縦板部の一部が該縦板部の板面に対して横板部の方向に切り起されたランス部を有し、該ランス部は折曲部の長手方向他端側に切起し基点を有し一端側で切起し量を最大とする自由端として形成されていることとする請求項１ないし請求項３に記載のケーブルコネクタ。
【請求項５】
端子の縦板部には、ランス部の自由端が縦板部の板面よりも横板部に対して反対側に変位することを規制するランス規制部が設けられていることとする請求項４に記載のケーブルコネクタ。
【請求項６】
ハウジングには、進入板部の第一ロック片対の間への進入時に、該第一ロック片対同士を近接するように該第一ロック片対の背面に接する斜面部が形成されていることとする請求項１ないし請求項３のうちの一つに記載のケーブルコネクタ。
【発明の詳細な説明】
【技術分野】
【０００１】
本発明は、回路基板上に取り付けられた基板用端子に対し、該回路基板の面に直角な方向で該基板用端子に対して挿抜されるケーブルコネクタに関する。
【背景技術】
【０００２】
かかるケーブルコネクタは、特許文献１（特許文献１公報、図２５〜３０）にて知られている。この特許文献１では基板用端子は、回路基板上に接面して取り付けられる金属帯状の基部の両側縁部から互いに近接するように起立、湾曲された対向腕片から形成される弾性腕片（挟持片）対を上記基部の長手方向の複数位置に有し、上記弾性腕片対として接触片対、そしてロック片対と備えている。かかる基板用端子に対して、接続されるケーブルコネクタは、回路基板の面に直角な方向をコネクタ挿抜方向として接続される板状の端子を有している。該ケーブルコネクタの端子は、基板用コネクタの接触片対で挟持されることで該接触片対と接触し、基板用コネクタのロック片対の対向ロック突部が端子の窓状の貫通孔部に突入することでコネクタ抜出方向に対してロックされる。
【０００３】
上記基板用端子は、通常回路基板の縁部域に配置され、ケーブルコネクタの端子に結線されたケーブルは回路基板の面に平行な方向で回路基板領域外の空間へ延出する。
【先行技術文献】
【特許文献】
【０００４】
【特許文献１】特開２０１２−０４３７６４
【発明の概要】
【発明が解決しようとする課題】
【０００５】
基板用端子が回路基板の縁部域に配置されると、該基板用端子に接続されたケーブルコネクタからは回路基板領域外にケーブルが長く延出するので、使用者等が不用意にケーブルをもち上げてしまうことがしばしばある。ケーブルコネクタは、その端子が基板用端子のロック片対のロック突部が板状の該端子の貫通孔部へ該端子の両板面側から突入することで端子の板面の両面側でロックされている。両板面側に位置するロック突部同士は上記長手方向で互いにずれて位置してはいるものの、端子は一対のロック突部でロックされていることには変わりはない。したがって、ロック力は十分とはいえず、ケーブルを不用意にもち上げる力が大きいと、ケーブルコネクタは上記基板側端子から外れてしまう可能性が高い。
【０００６】
本発明は、このような事情に鑑み、ロックをさらに確実なものとし、ケーブルに不用意な力が作用しても容易には基板用端子から外れないケーブルコネクタを提供することを課題とする。
【課題を解決するための手段】
【０００７】
本発明に係るケーブルコネクタは、回路基板上に接面して取り付けられる金属帯状の基部の両側縁部から互いに近接するように起立、湾曲された対向腕片から形成される弾性腕片対を上記基部の長手方向の複数位置に有し、上記弾性腕片対として接触片対およびロック片対を備えている基板用端子に対して、回路基板の面に直角な方向をコネクタ挿抜方向として接続される端子を有している。
【０００８】
かかるケーブルコネクタにおいて、本発明では、ケーブルコネクタは、上記長手方向での一端側にケーブルが結線される結線部を有する端子と、基板用端子に向け該端子を露呈して保持する電気絶縁材のハウジングとを有し、上記端子は、上記コネクタ挿抜方向と上記長手方向とを含む面を板面とし該板面に平行な方向で上記弾性腕片対の対向腕片同士間に進入する進入板部を有していて、該進入板部は、基板用端子の接触片対に挟圧されて該接触片と接触する接点部と、基板用端子に設けられた二対のロック片のうちの第一ロック片対が係止する第一ロック係止部とを有し、ハウジングは、コネクタ抜出方向で基板用端子の第二ロック片対に係止する係止突部が形成された第二ロック係止部を有していて、該第二ロック係止部は上記長手方向で第一ロック係止部に対して他端側に設けられていることを特徴としている。
【０００９】
このような構成の本発明のケーブルコネクタでは、該ケーブルコネクタの端子がハウジングにより保持されていて、長手方向での異なる位置で、端子に第一ロック係止部、ハウジングに第二ロック係止部をそれぞれ形成しており、ケーブルコネクタの端子の接続相手である基板用端子の第一ロック片対がケーブルコネクタの端子の第一ロック係止部と、基板用端子の第二ロック片対がケーブルコネクタのハウジングの第二ロック係止部と係止するので、ロックが長手方向で二箇所でなされることとなり、二箇所であるが故に長手方向での二つのロック係止部間の距離（範囲）が大きく確保できる。その結果、ロック力、特に一端側でもち上げるような傾斜抜出に対してのロック力が強大となる。さらには、ケーブルと結線側の第一ロック係止部が端子（金属）であるので、係止面積が小さくしか確保できないときでもケーブルから直接大きな力を受けることができ、また第二ロック係止部はハウジングに形成されているので、第一ロック係止部に比し係止部を大きな面積にすることができ、第一ロック係止部に匹敵するロック力を受けるようにすることも可能である。
【００１０】
本発明において、端子は、長手方向での一端側の部分に上記結線部が設けられ、他端側の部分に進入板部を含む折曲部が設けられており、該折曲部は、上記長手方向に対して直角な断面がＬ字状をなすように折曲稜部を介して接続されている縦板部と横板部を有し、該縦板部に進入板部が形成され、ハウジングには該折曲部を少なくとも長手方向での一部で収める収容部が形成されていて、折曲部の長手方向の先端側から折曲部の対応部分が上記収容部に収められるようにすることができる。折曲部を設けることで、端子は長手方向で縦板部の強度が向上し、上記折曲部の先端側がハウジングの収容部に収められて端子の位置出しと保持力の向上が図れる。
【００１１】
本発明において、端子は、折曲部の長手方向他端側で、縦板部の一部が折曲稜部と反対方向に向け切り取られた係止段部が形成され、該係止段部は上記ハウジングの係止突部とコネクタ抜出方向で係止するようになっていることができる。こうすることで、コネクタ抜出方向で端子がその係止部でハウジングの係止突部と係止し、コネクタ抜出時においても端子はハウジングにより、しっかりと保持されている。
【００１２】
本発明において、端子は、縦板部の一部が該縦板部の板面に対して横板部の方向に切り起されたランス部を有し、該ランス部は折曲部の長手方向他端側に切起し基点を有し一端側で切起し量を最大とする自由端として形成されているようにすることが好ましい。特に、端子の折曲部がその先端方向となる長手方向他端側方向へハウジングの収容部へ収められる場合、上記ランスが一端側に形成する自由端で、端子抜出方向でハウジングの対応部と係止し、ケーブルを引く方向の外力が不用意に作用しても端子が抜けてしまうことを未然に防止する。
【００１３】
本発明において、端子の縦板部には、ランス部の自由端が縦板部の板面よりも横板部に対して反対側に変位することを規制するランス規制部が設けられていることが好ましい。こうすることで、ケーブルを引く不用意な外力が過度に大きくとも、ランスはハウジングの対応部から離反する方向に反り返って正規位置から外れてしまうことが上記ランス規制部により防止され、また、上記外力が解除されるとランスはその復元力で正規のハウジングとの係止位置へ復帰する。
【００１４】
本発明において、ハウジングは、進入板部の第一ロック片対間への進入時に、該第一ロック片対同士を近接するように該第一ロック片対の背面に接する斜面部が形成されていることが好ましい。こうすることで、進入板部が第一ロック片対間へ所定位置まで進入したときには、第一ロック片対は該第一ロック片対の背面でハウジングの斜面部から押圧力を受けて互いに近接する方向へ弾性変位し、第一ロック係止部とのロック量を増大し、ロック力が増大となる。
【発明の効果】
【００１５】
本発明は、以上のように、ケーブルコネクタの端子がハウジングに保持されている構造のもとで、端子が基板用端子の第一ロック片対とロックする第一ロック係止部を有していると共に、ハウジングが基板用端子の第二ロック片対とロックする第二ロック係止部を有することとしたので、端子自体が限られた長手方向寸法であっても、ケーブルが延びる方向である端子の長手方向で、二つのロック係止部間の距離（範囲）が大きくなり、ケーブルが不用意にもち上げられても、十分にこれに耐えられロック力を強固とする。さらには、ケーブル結線部に近く位置してケーブルから直接力を受ける第一ロック係止部が金属同士の接触によるロックとなるので、この点でもロック力は強固となる。
【図面の簡単な説明】
【００１６】
【図１】本発明の一実施形態としてのケーブルコネクタと、その接続相手となる基板用端子とを、接続前の状態で示す斜視図である。
【図２】図１の基板用端子のみを拡大して示す斜視図である。
【図３】図１のケーブルコネクタに用いられる端子のみを示し、（Ａ）は平面図、（Ｂ）は側面図である。
【図４】図１のケーブルコネクタの底面図である。
【図５】図１のケーブルコネクタの左半部（他端側半部）を長手方向に延びる面で示す縦断面図である。
【図６】図１のケーブルコネクタと基板用端子の接続状態を示す、長手方向で第二ロック係止部位置における長手方向に対して直角な面での断面図である。
【図７】図１のケーブルコネクタと基板用端子の接続状態を示す、長手方向で接点部位置における長手方向に対して直角な面での断面図である。
【図８】図１のケーブルコネクタと基板用端子の接続状態を示す、長手方向で第一ロック係止部位置における長手方向に対して直角な面での断面図である。
【発明を実施するための形態】
【００１７】
以下、添付図面にもとづき、本発明の実施の形態について説明する。
【００１８】
図１は、本発明の一実施形態としてのケーブルコネクタ１と、該ケーブルコネクタ１の接続相手となる基板用端子５０とを、接続前の状態でそれらの外観を示す斜視図である。
【００１９】
本実施形態のケーブルコネクタ１の説明に先立ち、説明の便宜上、先ず、ケーブルコネクタ１の接続相手となる基板側端子５０について説明する。
【００２０】
金属板を屈曲加工して作られている基板用端子５０は、図１に示されるごとく、その長手方向で回路基板Ｐの側縁Ｐ１の近傍に配置される。
【００２１】
基板用端子５０を示す斜視図である図２において、該基板用端子５０は、その長手方向に延び回路基板Ｐの面に沿う板面を有する帯状の基部５１と、基部５１の両方の側縁から互いに近接するように起立する対向腕片で形成される弾性腕片対として作られた接触片対５２、第一ロック片対５３および第二ロック片対５６と、基部５１の両端から回路基板Ｐの面に沿って突出する接続部５４とを有していて、長手方向に延びる中心線に対して対称形状である。接触片対５２とロック片対５３は、両者ともそれぞれの弾性腕片対の対向方向（上記長手方向に対し直角な幅方向）に弾性変形可能となっているが、この弾性変形機能を阻害されることなく、両者は各側縁における起立位置近傍で幅方向案内壁５５により連結されている。この幅方向案内壁５５はケーブルコネクタ１との接続の際に、該ケーブルコネクタ１を幅方向で案内するために設けられる。また、接触片対５２に隣接して、該接触片対５２の弾性変形機能を阻害することなく、第二ロック片対５６が起立して設けられている。次に、かかる基板用端子５０の各部分について詳説する。
【００２２】
接触片対５２は、基部５１の幅方向側に位置する両側縁の対応位置でそれぞれから起立し、互いに対向して対称に設けられている一対の接触部５２Ａ，５２Ａにより構成されている。両接触部５２Ａは、基部５１の側縁から起立しながら互いに近づいてから基部５１側に向くように湾曲形成されていて幅方向に弾性変形可能な弾性腕片として作られており、両接触部５２Ａの最近接部分に接触突部５２Ａ−１が形成されている。この両接触部５２Ａの接触突部５２Ａ−１は、後述するケーブルコネクタ１の端子１０に形成された接点部２０を挟圧接触できる間隔をもって位置している。
【００２３】
第一ロック片対５３は、長手方向で隣接する２箇所に、すなわち二対設けられている。２つの第一ロック片対５３，５３のそれぞれは、上記接触片対５２と同様に、基部５１の両側縁から起立し、互いに対向して対称に設けられている一対の弾性腕片で構成されており、起立しながら互いに近づいてから基部５１側に向くように湾曲形成されていて幅方向に弾性変形可能となっていて弾性腕片がロック部５３Ａを形成している。両ロック部５３Ａの最近接部分がロック突部５３Ａ−１を形成して、この最近接部同士をなすロック突部５３Ａ−１間の間隔が、後述する第一ロック係止部１８の周辺における板厚よりも小さくなっている。さらには、２つのロック片対５３，５３のロック突部５３Ａ−１は、ケーブルコネクタとの接続時に、長手方向でもコネクタ挿抜方向でも、孔部として形成された第一ロック係止部の範囲内に位置しており、したがって、第一ロック係止部の周辺の板厚よりも小さい間隔で互いに近接しているロック突部５３Ａ−１は、ケーブルコネクタとの接続状態には、第一ロック係止部の板面とは何ら当接力を伴わずに、第一ロック係止部として形成された孔部内に突入して位置するようになる。
【００２４】
接触片対５２とロック片対５３とを連結している幅方向案内壁５５は、基部５１の両側縁から起立しており、該幅方向案内壁５５の上端縁は、接触片対５２およびロック片対５３よりも幅方向でわずかに外側に位置している。ケーブルコネクタとの嵌合開始時そして嵌合過程には、幅方向でケーブルコネクタを案内する機能を有する。幅方向案内壁５５には、嵌合開始時での案内機能をさらに助長するために、好ましい形態として上端縁にテーパ部５５Ａも形成されている。かくして、ケーブルコネクタは、嵌合開始時に幅方向で正規位置からずれていても、対向する一対の幅方向案内壁５５，５５により幅方向で正規位置へ向け案内されることとなる。
【００２５】
接触片対５２に長手方向で隣接して位置する第二ロック片対５６は、接触片対５２と同じように、対向方向で互いに近づくように湾曲されていてこの対向方向で弾性を有しているが、接触片対５２の接触部５２Ａ同士のようには近接していない。この第二ロック片対５６は、互いの対向腕片の自由端側が互いに間隔をもって基部５１側に向けて延びる垂下部５６Ａとなっていて該垂下部５６Ａの下端（下端面）がロック部５６Ａ−１を形成している。該ロック部５６Ａ−１は、後述するケーブルコネクタのハウジングに対応して設けられた第二ロック係止部に対して上方から係止してコネクタ抜出方向でロックされる。
【００２６】
かかる基板用端子５０は、その基部５１の長手方向両端で、回路基板の対応回路部と半田接続される接続部５４，５４を有している。
【００２７】
次に、回路基板に接続取付けされた後の上述の基板用端子５０に接続されるケーブルコネクタ１について説明する。
【００２８】
ケーブルコネクタ１は、基板用端子５０の接触片対５２の間そしてロック片対５３の間に進入する金属板製の端子１０と、該端子１０を下方に向けて露呈して保持するように下部が開口されている電気絶縁材料のハウジング３０とを有している。
【００２９】
端子１０は、その長手方向の一端側（図３および図４にて右側）の部分に結線部１１が、そして他端側（図３および図４にて左側）の部分に折曲部１２がそれぞれ設けられている。
【００３０】
結線部１１には、金属帯板の側縁側をＵ字状に屈曲して立ち上げてケーブルを収容するケーブル収容部２１が形成され、該ケーブル収容部２１の立上り部分の一部からさらに、ケーブル保持のための立上げを大きくして二つの保持片対２２，２３が設けられている。端子の長手方向の端部位置に設けられている保持片対２２は幅が狭く長く立ち上がっており、これに対してこれに隣接する保持片対２３は幅が広く短くなっている。前者の保持片対２２はケーブルをその外皮上で保持するように屈曲され、後者の保持片対２３は外皮が除去されて露呈している芯線を保持するように屈曲されて用いられる。
【００３１】
ケーブル収容部２１は、一方の側縁が対向する他方の側縁に寄るように傾斜部２１Ａ（図３（Ａ）参照）を経て、折曲部１２へ移行している。上記傾斜部２１Ａと折曲部１２との接続位置２４は、ケーブル収容部２１の幅方向中央位置、すなわち端子の幅方向中央位置となっている。
【００３２】
折曲部１２は、長手方向に延びる折曲稜部１２Ｃで折曲されて、該長手方向に対して直角な面でＬ字状をなすようにして縦板部１２Ａと横板部１２Ｂとを有している。縦板部１２Ａは折曲部１２との接続位置２４から端子の長手方向他端まで延びており、端子の幅方向の中央に位置するように設けられている。
【００３３】
縦板部１２Ａは、既述の基板用端子５０の第一ロック片対５３から第二ロック片対５６までの距離以上に及ぶ端子長手方向範囲で立上り部１５を有し、該立上り部１５の上部の領域で進入板部１４を形成している。上記進入板部１４の上縁は基板用端子５０への進入を容易とするように、テーパ縁１４Ａとなっている。縦板部１２Ａにおける進入板部１４の下方領域にはランス部１９が形成されている。上記立上り部１５には、長手方向で平行をなして延びる横長な上孔部１６と下孔部１７が板厚方向に貫通して形成されている。上孔部１６には、図３（Ｂ）において右半部に位置する孔幅（高さ方向寸法）が大きい孔幅広部１６Ａが形成され、この孔幅広部１６Ａの上内縁が板厚を小さくするように面取りがなされた部分で第一ロック係止部１８を形成している。上記上孔部１６と下孔部１７との間の帯状部分は、孔幅広部１６Ａの位置で切断されており、切断位置より左部を板厚方向に切り起すことでランス部１９を、右部でランス規制部１９Ａを形成している。すなわち、ランス部１９は左端を基点とし右端を自由端とする片持ち梁状に形成され、ランス規制部１９Ａは右端を基部として先端を左方に向けて延出している。上記ランス部１９はその自由端部分を板厚方向に圧潰されていてランス部１９の全長を増大させ、ランス規制部１９Ａもその中央部分を板厚方向に圧潰されて長さを増大させており、その結果、長手方向において、ランス部１９の自由端先端とランス規制部１９Ａの先端は重なり部分を有している。重なり部分では、ランス部１９が端子幅方向で横板部１２Ｂの方に位置している。上記ランス部１９はその基点で縦板部１２の板面に対し傾斜角をもつように切り起されていて、端子幅方向で横板部１２Ｂの方へ向いている。かくして、ランス部１９は上記縦板部１２Ａの板面に対し反対側に変位することが上記ランス規制部１９Ａにより阻止される。また、図３（Ａ）に示されるように、ランス部１９の自由端先端は、端子幅方向において横板部１２Ｂの端縁より突出しないように、すなわち、端子幅方向の横板部１２Ｂの幅内に収まるようになっている。このような構成により、ランス部１９の保護が可能となる。
【００３４】
上記進入板部１４を有する立上り部１５は、上孔部１６および下孔部１７の左方領域にテーパ縁１４Ａまで延びる平坦な板面を確保していて、該領域が基板用端子５０の接触片対５２の接触部５２Ａが挟圧接触する接点部２０を形成している。したがって、接点部２０は端子１０の長手方向で、基板用端子５０の接触部５２Ａに対応して位置している。
【００３５】
さらに、縦板部１２Ａは、高さ方向で折曲稜部１２Ｃと反対側に位置する左端部分（他端側）を四角状に切り取ることで、立上り部１５の左方に係止段部１４Ｂを形成している。
【００３６】
端子１０を収容し保持するハウジング３０は、外形を四角形断面の角筒に形成されており、図１に示されるように、基板用端子５０から遠い方に位置する上板部３１Ａと両方の側板部３１Ｂは平坦板面をなしており、また、該ハウジング３０の底面図である図４に示されるように、長手方向でケーブル寄り（一端側）となる下板部３１Ｃの右半部３１Ｃ−１が平坦板面をなし、左半部は開口されている。ハウジング３０の右半部３１Ｃ−１には、長手方向に貫通する内部空間が形成され、この内部空間にケーブルが結線された状態の端子１０の結線部１１が収容される。
【００３７】
ハウジング３０の側板部３１Ｂは、図１そして図５に見られるように、長手方向他端で略半円状の湾曲凹部３１Ｂ−１が形成されていて、ケーブルコネクタ１の基板用端子５０からの抜出時に、作業者の指または治具が引っ掛りやすくなっており、ケーブルコネクタ１をもち上げやすくしている。
【００３８】
下板部３１Ｃの左半部が開口されている範囲では、ハウジング３０は、長手方向で端子１０の折曲部１２を収める空間を形成していると共に、該空間内には折曲部１２の縦板部１２Ａを案内かつ支持する支持板部３１Ａ−１が上板部３１Ａから内方に向け延出し長手方向に延びて設けられている（図６〜８参照）。ハウジング３０の収容部３４の形状は図４から図８に示されるように、該端子１０の各部に対応して形成されており、また、長手方向で基板用端子５０の第二ロック片対５６に対応する位置には、該第二ロック片対５６が係止する第二ロック係止部３２が設けられている。
【００３９】
図５は、第二ロック係止部３２が表われるように長手方向に延びる面でのハウジング３０の左半部についての縦断面図である。また、図６は、ケーブルコネクタ１と基板用端子５０との接続状態であって、ケーブルコネクタ１の第二ロック係止部３２および基板用端子５０の第二ロック片対５６の位置における長手方向に直角となる面での断面図である。
【００４０】
図５及び図６に見られるように、第二ロック係止部３２は、上下方向中間位置でハウジング３０の内部空間を二分するように形成された横壁部３３から開口側に突出（図６では下方に向け突出、上下反対姿勢を示す図５では上方に向け突出）するようにして設けられている。すなわち、図６に示されるように、第二ロック係止部３２は、下方に向け突出してハウジング３０の下面位置近くまで及んでおり、その下端ではハウジング３０の幅方向での両方の側面３２Ａに、係止突部３２Ｂが形成されている。また、第二ロック係止部３２と上板部３１Ａとの間には、図５に示されるように内部が長手方向他端側に向け開口する空洞（収容部３４）が形成されている。ケーブルコネクタ１０が基板用端子５０と接続されたときには、側面３２Ａは、基板用端子５０の第二ロック片対５６の垂下部５６Ａが近接もしくは接触する位置にあり、また、係止突部３２Ｂは、基板用端子５０垂下部５６の下端で形成されたロック部５６Ａ−１が上下方向、すなわちコネクタ挿抜方向で干渉する位置にあり、さらに、第二ロック係止部３２の先端部が基板用端子５０の基部５１に当接または近接している。
【００４１】
第二ロック係止部３２の基部となる横壁部３３は、長手方向で第二ロック係止部３２の対応する位置に形成されており、一方、ハウジング３０の内部空間として形成された収容部３４は、第二ロック係止部３２の範囲外では、上下に連通している（図７、図８参照）。該収容部３４内には支持板部３１Ａ−１が形成されており、端子１０の収容部３４への挿入の際には、該端子１０の縦板部１２Ａがこの支持板部３１Ａ−１により案内され、横板部１２Ｂが上板部３１Ａにより案内される。そして、端子１０の収容部３４への挿入後は、折曲部１２が支持板部３１Ａ−１と上板部３１Ａの内面とで支持される。
【００４２】
折曲部１２は、該折曲部１２の縦板部１２Ａの他端側の位置に切欠きにより形成された係止段部１４Ｂを有している。該係止段部１４Ｂは、端子１０のハウジング３０への挿入後の状態では、ハウジング３０の横壁部３３の上面（図５に示される姿勢では図５における横壁部３３の下面）に上下方向で当接もしくは当接可能に位置しており、これにより端子１０の下方への移動が阻止されている。
【００４３】
長手方向で端子１０の接点部２０に対応する位置では、収容空間３４は、図７に示されるように、基板用端子５０を受け入れたときに、該基板用端子５０の接触片対５２を収容する。接触片対５２が接点部２０を挟圧した際にも、ハウジング３０の側板部３１Ｂの内面に対して該接触片対５２の背面が接することなく、側板部３１Ｂとの間に間隙を残している。
【００４４】
また、長手方向で端子１０の第一ロック係止部１８に対応する位置では、収容空間３４は、ハウジング３０の側板部３１Ｂの内面が斜面部３５を形成している点で、図７の場合とは相違している。斜面部３５同士は、上板部３１Ａ側ほど対向距離が狭くなるように形成されている。このような構成により、基板用端子５０の第一ロック片対５３がハウジング３０内に進入する際に傾斜面３５が該第一ロック片対５３の背面に接触して押圧し、ケーブルコネクタ１との接続完了位置で、その押圧力を最大となるようにしている。したがって、第一ロック片対５３は、その時点で押圧力による弾性変位のもとで互いに一層近接して、ロック量が増大するようになっている。
【００４５】
このように、ケーブルコネクタ１０は、長手方向における一端側から他端側に向けて、第一ロック係止部１８、接点部２０及び第二ロック係止部３２が同一直線上に設けられているものである。
【００４６】
さらに、収容空間３４には、図４に見られるように、端子１０のランス部１９の一端（自由端）が位置する部位にランス係止部３６が設けられている。該ランス係止部３６は、ランス部１９が対向する側のハウジング３０の側板部３１Ｂの内面に斜面をなす段部として形成されており、端子１０が一端側（図４にて右側）に移動したときに、ランス部１９の自由端が係止するように斜面を形成している。ハウジング３０に端子１０を挿入する時には、ランス部１９はその弾性撓みによりランス係止部３６を乗り越え、所定挿入位置に達したときに弾性撓みから解放されて原形に復帰し、ランス部１９はその自由端が端子１０の長手方向でランス係止部３６に当接して端子１０の長手方向での抜けが防止される。
【００４７】
本実施形態のケーブルコネクタは、次の要領で組み立てられ、そして基板用端子に接続される。
【００４８】
＜ケーブルコネクタの組立て＞
端子１０には、ハウジング３０へ挿入組立てされる前に、ケーブルＣが結線される。ケーブルＣは、先ず、その先端部分で外皮が除去され芯線が露呈される。このケーブルは、その先端部分が端子１０の結線部１１のケーブル収容部２１内に配された後、芯線が保持片対２３そして外皮が保持片対２２の屈曲圧潰によりそれぞれ保持される。かくして、ケーブルＣは端子１０に結線されかつ保持される。
【００４９】
しかる後、端子１０はその他端側（図３にて左端側）からハウジング３０の収容部３４に向け挿入される。その際、収容部３４では、端子１０は折曲部１２の縦板部１２Ａがハウジング３０の支持板部３１Ａ−１により案内されそして横板部１２Ｂがハウジング３０の上板部３１Ａの内面により案内される。折曲部１２の他端部に位置する係止段部１４Ｂは第二ロック係止部３２と上板部３１Ａとの間に進入し、上下方向での移動が規制される結果、同方向での位置が安定する。また、端子１０の他端側の先端が第二ロック係止部３２に当接することで、長手方向他端側の位置決めがなされる。
【００５０】
さらに、端子１０のランス部１９の自由端がハウジング３０の側板部３１Ｂの内面に圧せられて弾性変形して該内面に摺接しつつ進入し、ランス係止部３６の位置を通過後、段状のランス係止部３６で弾性変形から開放されて、端子抜出方向でランス係止部３６に係止するようになり、長手方向一端側への抜出が阻止される。かくして、端子１０は、長手方向、幅方向および上下方向にも定まった位置でハウジング３０により保持されて、ケーブルコネクタ１を構成する。
【００５１】
＜基板用端子への接続＞
ケーブルコネクタ１は、図４に示されるように、長手方向にてケーブルＣとは反対側となる他端側半分が下面側に開口されていて端子１０（折曲部１２）が露呈している。
【００５２】
このケーブルコネクタ１は、下面側を回路基板Ｐに向けた姿勢で、基板用端子５０が接続されている回路基板Ｐの上方位置にもたらされ、回路基板Ｐに向けて移動されることで基板用端子５０に接続される。
【００５３】
ケーブルコネクタ１が移動すると、ハウジング３０の下面側で露呈している端子１０の進入板部１４が基板用端子５０の接触片対５２の間および第一ロック片対５３の間に進入する。接触片対５２の接触部５２Ａは、進入板部１４に対応して形成されている板状の接点部２０に対して接触部５２Ａが接触突部５２Ａ−１にて挟圧接触する（図７参照）。
【００５４】
第一ロック片対５３は、そのロック部５３Ａが端子１０の上孔部１６に突入し、該ロック部５３Ａの対向するロック突部５３Ａ−１が共に上孔部１６内にあって立上り部１５における板厚内に位置するようになる。端子１０が上方に引かれたときには、ロック突部５３Ａ−１が上孔部１６の上縁で形成されている第一ロック係止部１８と係止するようになる。ロック突部５３Ａ−１が板厚方向での上孔部１６内への突入量がロック量となる。その際、第一ロック片対５３は、その背面がハウジング３０の斜面部３５と接触して押圧力を受けることでロック係止部１８とのロック量を増大する。
【００５５】
一方、ケーブルコネクタ１の第二ロック係止部３２は、基板用端子５０の第二ロック片対５６の間に進入し、該第二ロック片対５６の垂下部５６Ａが第二ロック係止部３２の側面３２Ａに接面もしくは至近対面するように位置する。端子１０が上方に引かれたときには、垂下部５６Ａの下端面であるロック部５６Ａ−1が第二ロック係止部３２に設けられた係止突部３２Ｂと係止するようになり、ロックされる。また、基板用端子５０との電気的接点となるケーブルコネクタ１の接点部２０が、長手方向において、第一ロック係止部１８と第二ロック係止部３２との間に位置しているので、第一ロック係止部１８及び第二ロック係止部３２の基板用コネクタ５０との接続を確認することで、接点部２０と接触片対５２との電気的接続を確実に確保することができる。
【００５６】
かくして、ケーブルコネクタ１が基板用端子５０からの抜出方向である上方に引かれたときには、基板用端子５０の第一ロック片対５３および第二ロック片対５６がそれぞれケーブルコネクタ１の第一ロック係止部１８およびハウジング３０の第二ロック係止部３２と係止し、二箇所で、しかも長手方向で離れた二箇所でロックされるので係止が強固となる。さらには、ケーブルコネクタ１が上方に引かれる場合は、ケーブルＣが不用意にもち上げられることにより生ずることが多いが、これに対してもケーブルＣに近い側（一端側）の第一ロック係止部１８では、金属対金属（第一ロック係止部１８と第一ロック片対５３）でのロックであるため、ケーブル側から直接作用するもち上げ力に対しても十分なロック力を得ることが可能となる。一方、意図的にケーブルコネクタ１を基板用端子５０から抜出する場合には、湾曲凹部３１Ｂ−１（他端側）を引っ掛けてもち上げることとなり、この場合では、ハウジング対金属（第二ロック係止部３２と第二ロック片対５６）でのロックであるため、スムースな抜去が可能となる。
【符号の説明】
【００５７】
１  ケーブルコネクタ                  ２０  接点部  
１０  端子                            ３２  第二ロック係止部
１１  結線部                          ３２Ｂ  係止突部
１２  折曲部                          ３４  収容部
１２Ａ  縦板部                        ３５  斜面部  
１２Ｂ  横板部                        ５０  基板用端子
１２Ｃ  折曲稜部                      ５２  接触片対
１４  進入板部                        ５３  第一ロック片対
１８  第一ロック係止部                ５６  第二ロック片対
１９  ランス部                        Ｐ  回路基板
１９Ａ  ランス規制部
【図１】
2014099261.tif 000003
【図２】
2014099261.tif 000004
【図３】
2014099261.tif 000005
【図４】
2014099261.tif 000006
【図５】
2014099261.tif 000007
【図６】
2014099261.tif 000008
【図７】
2014099261.tif 000009
【図８】
2014099261.tif 000010